(57)【要約】【課題】  外壁の汚れを減少させることができる、換気通路の分散物除去具を提供する。【解決手段】  分散物除去具２は、冷却部４と貯留部５とを備える。冷却部４は、突片群４ａからなり、換気通路１の空気中に含まれる水分または油分等の分散物を凝結させるものである。貯留部５は、滴吸収材５ａを有して、冷却部４によって凝結した滴を蓄えるものである。こうして、換気通路１を通る空気中に、水分または油分等の分散物が多く含まれる場合には、空気は、冷却部４によって冷却されて、その空気中に含まれる分散物は、一部が凝結して空気中から除去される。【選択図】  図１
2005345019.tif 000002
【特許請求の範囲】
【請求項１】
換気通路に設置されて、その換気通路の空気中に含まれる水分または油分等の分散物を除去する分散物除去具であって、
前記分散物を凝結させる冷却部と、
その凝結した滴を蓄えるとともに、前記換気通路の内部空間側に開放された貯留部とを備えることを特徴とする、換気通路の分散物除去具。
【請求項２】
前記貯留部は、前記凝結した滴を吸収する滴吸収材を有することを特徴とする請求項１に記載の、換気通路の分散物除去具。
【請求項３】
前記滴吸収材は、不織布からなることを特徴とする請求項２に記載の、換気通路の分散物除去具。
【請求項４】
前記冷却部は、金属板によって形成され、
前記貯留部は、前記滴吸収材と、前記金属板によって形成されて前記滴吸収材を保持する保持部とから構成されていることを特徴とする請求項２または３に記載の、換気通路の分散物除去具。
【請求項５】
前記金属板は、アルミ材からなることを特徴とする請求項４に記載の、換気通路の分散物除去具。
【請求項６】
前記冷却部は、前記換気通路を形成する内周壁側からその換気通路の内部空間側に向かって突出するように形成されていることを特徴とする請求項１ないし５のいずれか１項に記載の、換気通路の分散物除去具。
【請求項７】
前記冷却部は、前記貯留部の長手方向に沿って、間隔を置いて並ぶように突設されて形成された、突片群からなることを特徴とする請求項６に記載の、換気通路の分散物除去具。
【請求項８】
前記分散物除去具は、前記換気通路の被取付面に取り付けられる取付部を備え、その取付部は、前記被取付面に密着するように、湾曲可能に形成されていることを特徴とする請求項１ないし７のいずれか１項に記載の、換気通路の分散物除去具。
【請求項９】
請求項１ないし８のいずれか１項に記載の分散物除去具を用いて、換気通路の空気中に含まれる水分または油分等の分散物を除去する分散物除去構造であって、
前記換気通路に設置された一つの前記分散物除去具の、前記換気通路の延びる方向への投影面積が、前記分散物除去具が設置される前の前記換気通路の断面積に対して、１／２以下であることを特徴とする、換気通路の分散物除去構造。
【請求項１０】
換気通路の空気中に含まれる水分または油分等の分散物を除去する除去構造であって、
前記分散物を凝結させる、冷却部と、
その凝結した滴を蓄えるとともに、前記換気通路の内部空間側に開放された貯留部とを備えることを特徴とする、換気通路の分散物除去構造。
【請求項１１】
前記冷却部は、前記換気通路を形成する内周壁側からその換気通路の内部空間側に向かって突出するように形成され、その基端側が、前記内周壁の周方向に沿って配置されることを特徴とする請求項１０に記載の、換気通路の分散物除去構造。
【請求項１２】
前記冷却部は、少なくとも前記換気通路の中央に換気空間を形成するように配置されることを特徴とする請求項１０または１１に記載の、換気通路の分散物除去構造。
【請求項１３】
請求項６または７に記載の分散物除去具を複数用いて、換気通路の空気中に含まれる水分または油分等の分散物を除去する分散物除去構造であって、
前記複数の分散物除去具は、前記換気通路に、その換気通路の延びる方向にずれて配置され、かつ、
前記複数の分散物除去具は、前記換気通路の延びる方向へ投影した、前記複数の分散物除去具の前記冷却部が、前記換気通路の全周あるいはほぼ全周に渡るように、配置されていることを特徴とする、換気通路の分散物除去構造。
【発明の詳細な説明】
【技術分野】
【０００１】
この発明は、換気通路の、水分または油分等の分散物を除去する、分散物除去具および分散物除去構造に関するものである。
【背景技術】
【０００２】
従来、例えば、浴室の湿った空気が、換気通路を通過する間に凝結（結露）して、換気通路に水が溜まったり、換気通路の出口から凝結（結露）した水が垂れて、外壁に水跡が付き、壁が汚れたりすることがあった。
【０００３】
また、台所においても同様であって、水分や油分を含んだ空気が、換気通路を通過する間に凝結して、換気通路に水や油が溜まったり、換気通路の出口から凝結した水や油が垂れて、外壁に水跡や油跡が付き、壁が汚れる虞があった。
【０００４】
そこで、換気ダクトが接続される短管を屋外に突出させることで、その短管の端面を外壁面から離したり（例えば、特許文献１参照）、換気通路の出口部分においてフードを取り付ける取付板に、外壁面から離れるように屈曲する排水部を設けたり（例えば、特許文献２参照）、といった構造のものがあった。
【０００５】
【特許文献１】特開２００３−１０６５８９号公報
【０００６】
【特許文献２】特開２００２−１３０７５７号公報
【発明の開示】
【発明が解決しようとする課題】
【０００７】
しかし、前記従来の換気通路の構造にあっては、凝結した水や油が、短管とか排水部から落下した後に、風によって外壁に付着する虞があり、外壁の水跡や油跡を防ぐことは困難であった。
【０００８】
この発明は、上記した従来の欠点を解決するためになされたものであり、その目的とするところは、外壁の汚れを減少させることができる、換気通路の分散物除去具および分散物除去構造を提供することにある。
【課題を解決するための手段】
【０００９】
この発明に係る換気通路の分散物除去具および分散物除去構造は、前記目的を達成するために、次の構成からなる。すなわち、
請求項１に記載の発明に係る換気通路の分散物除去具は、換気通路に設置されて、その換気通路の空気中に含まれる水分または油分等の分散物を除去する分散物除去具である。この分散物除去具は、前記分散物を凝結させる冷却部と、その凝結した滴を蓄えるとともに、前記換気通路の内部空間側に開放された貯留部とを備える。
【００１０】
これにより、換気通路を通る空気中に、水分または油分等の分散物が多く含まれる場合には、空気は、冷却部によって冷却されて、その空気中に含まれる分散物は、一部が凝結して空気中から除去される。そして、その凝結した滴は、貯留部に蓄えられる。一方、冷却部を通過した空気は、その空気中の分散物が減少して、換気通路の出口に向かい、その出口から放出される。そして、換気通路を通る空気中に、水分または油分等の分散物が少ない場合には、前記貯留部に蓄えられた凝結した滴は、徐々に空気中に蒸散して、その空気とともに運ばれ、換気通路の出口から放出される。
【００１１】
また、請求項２に記載の発明に係る換気通路の分散物除去具のように、請求項１に記載の分散物除去具において、前記貯留部は、前記凝結した滴を吸収する滴吸収材を有してもよい。これにより、凝結した滴は、滴吸収材に吸収されて、確実に蓄えられる。
【００１２】
また、請求項３に記載の発明に係る換気通路の分散物除去具のように、請求項２に記載の分散物除去具において、前記滴吸収材は、不織布からなってもよい。
【００１３】
また、請求項４に記載の発明に係る換気通路の分散物除去具のように、請求項２または３に記載の分散物除去具において、前記冷却部は、金属板によって形成され、前記貯留部は、前記滴吸収材と、前記金属板によって形成されて前記滴吸収材を保持する保持部とから構成されてもよい。こうして、冷却部と、滴吸収材を保持する保持部とが、金属板によって形成され、この構造が簡単化される。ここで、金属板は、一枚の金属板からなる場合に限定されず、複数枚の金属板が継ぎ合わされて、全体として一つの金属板を形成する場合も含むものである。
【００１４】
また、請求項５に記載の発明に係る換気通路の分散物除去具のように、請求項４に記載の分散物除去具において、前記金属板は、アルミ材からなってもよい。
【００１５】
また、請求項６に記載の発明に係る換気通路の分散物除去具のように、請求項１ないし５のいずれか１項に記載の分散物除去具において、前記冷却部は、前記換気通路を形成する内周壁側からその換気通路の内部空間側に向かって突出するように形成されるのが望ましい。こうして、冷却部が、換気通路の内部空間側に向かって突出することで、換気通路を通る空気は、この冷却部によって効率よく冷却される。したがって、空気中に含まれる分散物は、より多くが凝結して空気中から除去される。
【００１６】
また、請求項７に記載の発明に係る換気通路の分散物除去具のように、請求項６に記載の分散物除去具において、前記冷却部は、前記貯留部の長手方向に沿って、間隔を置いて並ぶように突設されて形成された、突片群からなってもよい。
【００１７】
また、請求項８に記載の発明に係る換気通路の分散物除去具のように、請求項１ないし７のいずれか１項に記載の分散物除去具において、前記分散物除去具は、前記換気通路の被取付面に取り付けられる取付部を備え、その取付部は、前記被取付面に密着するように、湾曲可能に形成されてもよい。これにより、換気通路の被取付面の形状に応じて、取付部を湾曲させて換気通路の被取付面に密着させることができ、この分散物除去具を換気通路に安定して設置することができる。
【００１８】
また、請求項９に記載の発明に係る換気通路の分散物除去構造は、請求項１ないし８のいずれか１項に記載の分散物除去具を用いて、換気通路の空気中に含まれる水分または油分等の分散物を除去する分散物除去構造であって、前記換気通路に設置された一つの前記分散物除去具の、前記換気通路の延びる方向への投影面積が、前記分散物除去具が設置される前の前記換気通路の断面積に対して、１／２以下である。こうすることで、分散物除去具が、換気通路における空気の流れをそれほど妨げず、この換気通路の換気機能を損なうことがない。
【００１９】
また、請求項１０に記載の発明に係る換気通路の分散物除去構造は、換気通路の空気中に含まれる水分または油分等の分散物を除去する除去構造である。この分散物除去構造は、前記分散物を凝結させる、冷却部と、その凝結した滴を蓄えるとともに、前記換気通路の内部空間側に開放された貯留部とを備える。
【００２０】
これにより、換気通路を通る空気中に、水分または油分等の分散物が多く含まれる場合には、空気は、冷却部によって冷却されて、その空気中に含まれる分散物は、一部が凝結して空気中から除去される。そして、その凝結した滴は、貯留部に蓄えられる。一方、冷却部を通過した空気は、その空気中の分散物が減少して、換気通路の出口に向かう。したがって、この換気通路の出口部分での、分散物の凝縮が低減される。そして、換気通路を通る空気中に、水分または油分等の分散物が少ない場合には、前記貯留部に蓄えられた凝結した滴は、徐々に空気中に蒸散して、その空気とともに運ばれ、換気通路の出口から放出される。
【００２１】
また、請求項１１に記載の発明に係る換気通路の分散物除去構造のように、請求項１０に記載の分散物除去構造において、前記冷却部は、前記換気通路を形成する内周壁側からその換気通路の内部空間側に向かって突出するように形成され、その基端側が、前記内周壁の周方向に沿って配置されてもよい。こうして、冷却部が、換気通路の内部空間側に向かって突出し、その基端側が、換気通路を形成する内周壁の周方向に沿って配置されることで、換気通路を通る空気は、この冷却部によって効率よく冷却される。したがって、空気中に含まれる分散物は、より多くが凝結して空気中から除去される。
【００２２】
請求項１２に記載の、換気通路の分散物除去構造のように、請求項１０または１１に記載の分散物除去構造において、前記冷却部は、少なくとも前記換気通路の中央に換気空間を形成するように配置されるのが望ましい。こうすることで、冷却部が、換気通路における空気の流れをそれほど妨げず、この換気通路の換気機能を損なうことがない。
【００２３】
また、請求項１３に記載の発明に係る換気通路の分散物除去構造は、請求項６または７に記載の分散物除去具を複数用いて、換気通路の空気中に含まれる水分または油分等の分散物を除去する分散物除去構造であって、前記複数の分散物除去具は、前記換気通路に、その換気通路の延びる方向にずれて配置され、かつ、前記換気通路の延びる方向へ投影した、前記複数の分散物除去具の前記冷却部が、前記換気通路の全周あるいはほぼ全周に渡るように、配置される。このように、複数の分散物除去具が、換気通路の延びる方向にずれて配置されることで、これら分散物除去具が、換気通路における空気の流れをそれほど妨げず、この換気通路の換気機能を損なうことがない。しかも、換気通路の延びる方向へ投影した、複数の分散物除去具の冷却部が、換気通路の全周あるいはほぼ全周に渡ることから、換気通路を通る空気は、これら冷却部によって全体的に冷却される。したがって、空気中に含まれる分散物は、満遍なく凝結して空気中から除去される。
【発明の効果】
【００２４】
この発明に係る換気通路の分散物除去具および分散物除去構造によれば、換気通路を通る空気中に、水分または油分等の分散物が多く含まれる場合には、空気は、冷却部によって冷却されて、その空気中に含まれる分散物は、一部が凝結して空気中から除去されるので、換気通路の出口部分において、分散物の凝結を低減させて、外壁の汚れを減少させることができる。
【発明を実施するための最良の形態】
【００２５】
以下、この発明に係る換気通路の分散物除去具および分散物除去構造を実施するための最良の形態を図面に基づいて説明する。
【００２６】
図１ないし図５は、本発明に係る換気通路の分散物除去具および分散物除去構造の一実施の形態を示す。図中符号１は、浴室とか台所等の室内と外部とを繋ぐ換気通路である。１０１は、前記換気通路１を形成するダクトである。２は、前記換気通路１に設置されて、その換気通路１の空気中に含まれる水分または油分等の分散物を除去する分散物除去具である。３は、分散物除去構造であって、例えば、前記換気通路１に設置された状態の前記分散物除去具２からなる。
【００２７】
この分散物除去具２は、水分または油分等の分散物を凝結させる冷却部４と、その凝結した滴を蓄えるとともに、換気通路１の内部空間側に開放された貯留部５とを備える。冷却部４は、例えば金属板６によって形成され、また、換気通路１を形成する内周壁１ｂ側からその換気通路１の内部空間側に向かって突出するように形成されている。一方、貯留部５は、凝結した滴を吸収する滴吸収材５ａを有している。詳細には、貯留部５は、滴吸収材５ａと、前記金属板６によって形成されて滴吸収材５ａを保持する保持部５ｂとから構成されている。
【００２８】
具体的には、分散物除去具２は、構成部品としては、前記冷却部４および保持部５ｂを形成する金属板６と、前記滴吸収材５ａとからなる。ここで、金属板６は、図示実施の形態においては、一枚の金属板からなる。そして、この金属板６は、冷却部４を形成することから、熱伝導率が大であるほど好ましく、この金属板６には、例えば、アルミ材（アルミニウムあるいはアルミニウム合金）とか銅材（銅あるいは銅合金）等が用いられる。特に、アルミ材は、比較的熱伝導率が高く、しかも、耐食性に優れているため、冷却部に用いられる金属板として好適である。保持部５ｂは、長手の略矩形形状に形成された底板５ｃと、その底板５ｃの両端から延設されるとともに、底板５ｃに載る滴吸収材５ａを抱えるように折り曲げ形成された抑え片５ｄ、５ｄとからなる。冷却部４は、貯留部５（詳細には、滴吸収材５ａおよび保持部５ｂ）の長手方向に沿って、間隔を置いて並ぶように突設されて形成された、突片群４ａからなる。すなわち、この突片群４ａを構成する一つ一つの突片４ｂ、４ｂは、貯留部５の長手方向に沿って間隔を置いて並ぶように、前記底板５ｃの長手の一方の辺から延設されるとともに、滴吸収材５ａがある側に略９０°折り曲げ形成されている。この突片４ｂは、フィン状であって、詳細には先細となるように形成されている。また、この突片４ｂには、換気のための通路（換気空間）となる通孔４ｃ（詳細には突片４ｂの外形形状に類似した通孔）が明けられている。もっとも、この通孔４ｃは、なくともよい。
【００２９】
滴吸収材５ａは、不織布等の繊維素材とか、多孔質素材等からなる。この滴吸収材５ａは、前記底板５ｃと同様の形状、すなわち長手の略矩形形状であって、平板状に形成されている。そして、この滴吸収材５ａは、前述のように、底板５ｃに載り、両端が抑え片５ｄ、５ｄによって抑えられて保持される。さらに、滴吸収材５ａは、その長手の一方の側面が、前記突片４ｂ、４ｂ（突片群４ａ）と対面して支持される。
【００３０】
また、分散物除去具２は、換気通路１の被取付面１ａに取り付けられる取付部７を備える。そして、この取付部７は、換気通路１の被取付面１ａに密着するように、湾曲可能に形成されている。詳細には、取付部７は、滴吸収材５ａとともに、その長手方向が湾曲可能となっている（図３参照）。図示実施の形態においては、この取付部７は、前記底板５ｃからなる。そして、その底板５ｃには、前記滴吸収材５ａがある側とは反対側に、両面粘着テープ８が貼り付けられ、こうして、底板５ｃ（取付部７）は、被取付面１ａに、両面粘着テープ８を介して取り付けられることとなる。
【００３１】
図４および図５は、この分散物除去具２を、換気通路１に設置した図を示す。この換気通路１を形成するダクト１０１は、円筒形状をしている。そして、分散物除去具２は、換気通路１の下部側に設置されている。ここで、分散物除去具２は、その取付部７が、滴吸収材５ａとともに、被取付面１ａとなるダクト１０１の内面（すなわち換気通路１を形成する内周壁１ｂ）の周方向に沿うように湾曲形成されている。こうして、分散物除去具２の冷却部４は、換気通路１を形成する内周壁１ｂ側からその換気通路１の内部空間側に向かって突出するように形成され、その基端側が、前記内周壁１ｂの周方向に沿って配置される。このとき、突片４ｂ（冷却部４）の板面は、換気通路１の延びる方向に略直交し、その換気通路１を流れる空気を正面から受けるようになっている。そして、貯留部５は、突片４ｂ（冷却部４）に対して、下方に位置し、また、換気通路１を流れる空気の進行方向Ｐとは反対側に位置している。
【００３２】
ここで、換気通路１に設置された一つ分散物除去具２の、換気通路１の延びる方向への投影面積が、分散物除去具２が設置される前の換気通路１の断面積に対して、１／２以下となっている。ここにおいて、一つの分散物除去具２とは、換気通路１に二つ以上の分散物除去具２、２が設置された場合には、その内の一つを意味する。そして、換気通路１の断面積とは、換気通路１の延びる方向に直交する面の面積を意味する。また、冷却部４は、少なくとも換気通路１の中央に換気空間１ｃを形成するように、その換気空間１ｃの外側に配置されている。
【００３３】
次に、以上の構成からなる分散物除去具２および分散物除去構造３の作用効果について説明する。分散物除去具２が換気通路１に設置されると、換気通路１を通る空気中に、水分または油分等の分散物が多く含まれる場合（例えば、浴室を使用している場合とか、台所で煮炊きをしている場合等）には、空気は、突片群４ａ（冷却部４）によって冷却されて、その空気中に含まれる分散物は、一部が凝結して空気中から除去される。そして、その凝結した滴は、滴吸収材５ａ（貯留部５）に蓄えられる。一方、突片群４ａ（冷却部４）を通過した空気は、その空気中の分散物が減少して、換気通路１の出口に向かい、その出口から放出される。そして、換気通路１を通る空気中に、水分または油分等の分散物が少ない場合（例えば、浴室を使用していない場合とか、台所で煮炊きをしていない場合等）には、前記滴吸収材５ａ（貯留部５）に蓄えられた凝結した滴は、徐々に空気中に蒸散して、その空気とともに運ばれ、換気通路１の出口から放出される。
【００３４】
このように、換気通路１を通る空気中に、水分または油分等の分散物が多く含まれる場合には、空気は、突片群４ａ（冷却部４）によって冷却されて、その空気中に含まれる分散物は、一部が凝結して空気中から除去されるので、換気通路１の出口部分において、分散物の凝結を低減させて、建物の外壁の汚れを減少させることができる。
【００３５】
ここで、突片群４ａを形成する一つ一つの突片４ｂ、４ｂ（冷却部４）は、換気通路１の内部空間側に向かって突出しており、換気通路１を通る空気は、これら突片４ｂ、４ｂによって効率よく冷却され、空気中に含まれる分散物は、より多くが凝結して空気中から除去される。したがって、換気通路１の出口部分において、分散物の凝結を一層低減させて、建物の外壁の汚れを一層減少させることができる。特に、冷却部４が、換気通路１の内部空間側に向かって突出するだけでなく、その基端側が、換気通路１を形成する内周壁１ｂの周方向に沿って配置されることで、空気中に含まれる分散物は、より一層多くが凝結して空気中から除去される。
【００３６】
また、換気通路１に設置された一つの分散物除去具２の、換気通路１の延びる方向への投影面積が、分散物除去具２が設置される前の換気通路１の断面積に対して、１／２以下となっている。このため、分散物除去具２が、換気通路１における空気の流れをそれほど妨げず、この換気通路１の換気機能を損なうことがない。しかも、冷却部４は、少なくとも換気通路１の中央に換気空間１ｃを形成するように、その換気空間１ｃの外側に配置されている。このことによっても、冷却部４が、換気通路１における空気の流れをそれほど妨げず、この換気通路１の換気機能を損なうことがない。
【００３７】
また、貯留部５は、滴吸収材５ａを有しているため、凝結した滴は、滴吸収材５ａに吸収されて、確実に蓄えられる。そして、突片群４ａ（冷却部４）と、滴吸収材５ａを保持する保持部５ｂとが、金属板６によって形成され、この構造が簡単化されている。
【００３８】
また、分散物除去具２は、取付部７を備え、その取付部７は、換気通路１の被取付面１ａに密着するように、湾曲可能に形成されている。したがって、換気通路１の被取付面１ａ（例えば、ダクト１０１の内面）の形状に応じて、取付部７を湾曲させて換気通路１の被取付面１ａに密着させることができ、この分散物除去具２を換気通路１に安定して設置することができる。
【００３９】
なお、本発明は、上述した実施の形態に限定されるわけではなく、その他種々の変更が可能である。例えば、分散物除去構造３において、分散物除去具２は、図４および図５に示す例においては、換気通路１の下部側に設置されているが、図６および図７に示すように、下部側に加えて、あるいは単独で、上部側に設置されてもよい。ここで、上部側の分散物除去具２の下方には、別途、滴吸収材５ａ（貯留部５）が取り付けられている。この滴吸収材５ａ（貯留部５）は、突片４ｂ（冷却部４）から落下した滴を受け止めて蓄えるものであり、上部側の分散物除去具２は、この滴吸収材５ａ（貯留部５）を含めて、分散物除去具として機能している。そして、この場合には、上部側の分散物除去具２に元々備わる滴吸収材５ａ（貯留部５）は、必ずしも必要ない。また、この実施の形態においては、分散物除去構造３は、下部側の分散物除去具２と上部側の分散物除去具２、すなわち複数の分散物除去具２、２が、換気通路１に、その換気通路１の延びる方向にずれて配置されている。しかも、換気通路１の延びる方向へ投影した、複数の分散物除去具２、２の冷却部４、４が、換気通路１の全周あるいはほぼ全周に渡るように、配置されている（図７参照）。このように、複数の分散物除去具２、２が、換気通路１の延びる方向にずれて配置されることで、これら分散物除去具２、２が、換気通路１における空気の流れをそれほど妨げず、この換気通路１の換気機能を損なうことがない。しかも、換気通路１の延びる方向へ投影した、複数の分散物除去具２、２の冷却部４、４が、換気通路１の全周あるいはほぼ全周に渡ることから、換気通路１を通る空気は、これら冷却部４、４によって全体的に冷却される。したがって、空気中に含まれる分散物は、満遍なく凝結して空気中から除去される。ところで、図示実施の形態においては、分散物除去具２は、二つ設けられているが、三つ、あるいはそれ以上設けられても構わないし、また、これら三つ以上の分散物除去具２、２のそれぞれが、換気通路１の延びる方向にずれて配置されてもよい。
【００４０】
また、分散物除去構造３においては、分散物除去具２が換気通路１に設置されて形成されなくとも、例えば、突片群４ａ（冷却部４）とか保持部５ｂ、あるいは後述する受け皿（貯留部５）が、凸部あるいは凹部等によって、換気通路１を形成する構造物（例えば、ダクト１０１）と一体となって形成されてもよい。
【００４１】
また、分散物除去具２は、ダクト１０１に直接取り付けられなくとも、図８に示すように、換気通路１の終端を構成するフード１０２からダクト１０１側に延設されるダクト接続部１０３に取り付けられてもよい。さらに、分散物除去具２は、ダクト１０１以外に、換気通路１の終端あるいは始端を構成するフードとか、換気通路１のファンが配置される部分に取り付けられてもよい。
【００４２】
また、分散物除去具２においては、冷却部４は、突片４ｂが一列に並んで形成されなくとも、図９に示すように、二列、あるいは三列以上に、並んで形成されてもよい。そして、この図９にあっては、滴吸収材５ａは、保持部５ｂよりも大きく形成されている。そして、金属板６は、その突片４ｂ、４ｂおよび抑え片５ｄ、５ｄが、滴吸収材５ａに形成された切込み５ｅ、５ｅを貫通することで、滴吸収材５ａと組み付いている。こうして、突片４ｂ、４ｂ（冷却部４）の基端部分は、滴吸収材５ａに囲まれることとなり、突片４ｂ、４ｂを伝う滴を効果的に受け止めることができる。このことは、図１に示す、突片４ｂが一列に並んだ分散物除去具２においても同様であり、滴吸収材５ａを大きくし、突片４ｂ、４ｂとか抑え片５ｄ、５ｄを、滴吸収材５ａに形成した切込みを貫通させることで、その滴吸収部材５ａが、突片４ｂ、４ｂ（冷却部４）の基端部分を囲むようにすることができる。そして、このように、突片４ｂが、滴吸収材５ａを貫通する場合には、抑え片５ｄは、無くともよい。
【００４３】
また、突片４ｂ、４ｂは、ダクト１０１（換気通路１）の周方向に並ばなくとも、ダクト１０１（換気通路１）の延びる方向に並んでもよい。
【００４４】
また、金属板６は、一枚の金属板からならなくとも、複数枚の金属板が、例えば溶接等により継ぎ合わされて、全体として一つの金属板を形成してもよい。さらには、金属板６は、複数枚が、分離した状態であって、それぞれの金属板が、突片４ｂ（冷却部４）と保持部５ｂとを備えていてもよい。
【００４５】
また、分散物除去具２は、両面粘着テープ８によって被取付面１ａに取り付けられるが、接着剤とかビス等によって取り付けられてもよい。
【００４６】
また、貯留部５は、滴吸収材５ａからならなくとも、凝結した滴を受け止める受け皿からなっていてもよい。そして、この場合には、受け皿に、ドレン管を接続して、ドレン管を介して、凝結した滴を、外部に排出するようにしてもよい。
【００４７】
また、冷却部４は、金属板６によって形成されなくとも、金属パイプとか金属ネットとかパンチングメタル等によって形成されてもよい。さらには、冷却部４の材料は、金属でなくとも、熱伝導率が比較的大きい、金属以外の材料であってもよい。
【図面の簡単な説明】
【００４８】
【図１】この発明の一実施の形態の、分散物除去具の斜視図である。
【図２】同じく、分散物除去具の分解斜視図である。
【図３】同じく、分散物除去具を湾曲させた状態を示す斜視図である。
【図４】同じく、分散物除去具の取付状態を示す断面図である。
【図５】図４におけるＡ矢視図である。
【図６】分散物除去具の他の取付状態を示す断面図である。
【図７】図６におけるＢ矢視図である。
【図８】分散物除去具のさらに他の取付状態を示す断面図である。
【図９】この発明の他の実施の形態の、分散物除去具の斜視図である。
【符号の説明】
【００４９】
１  換気通路
１ａ  被取付面
１ｂ  内周壁
１ｃ  換気空間
２  分散物除去具
３  分散物除去構造
４  冷却部
４ａ  突片群
５  貯留部
５ａ  滴吸収材
５ｂ  保持部
６  金属板
７  取付部
【図１】
2005345019.tif 000003
【図２】
2005345019.tif 000004
【図３】
2005345019.tif 000005
【図４】
2005345019.tif 000006
【図５】
2005345019.tif 000007
【図６】
2005345019.tif 000008
【図７】
2005345019.tif 000009
【図８】
2005345019.tif 000010
【図９】
2005345019.tif 000011